(57)【特許請求の範囲】
【請求項１】
携帯電話機との間でハンズフリー通信プロトコルを接続するハンズフリー接続手段と、
前記ハンズフリー接続手段との間でハンズフリー通信プロトコルを接続している携帯電話機が着信中であるか否かを判定する制御手段とを備え、
前記制御手段は、前記ハンズフリー接続手段との間でハンズフリー通信プロトコルを同時に接続している複数の携帯電話機の各々が同時に着信中である旨を判定した場合に、それら着信中にある複数の携帯電話機のうち一の携帯電話機における着信に係る着信情報及び当該着信に対してユーザが行う操作に係る操作情報を表示手段の表示領域のうち複数の音出力手段のうち一の音出力手段が設けられている側に表示させ、他の携帯電話機における着信に係る着信情報及び当該着信に対してユーザが行う操作に係る操作情報を前記表示手段の表示領域のうち複数の音出力手段のうち他の音出力手段が設けられている側に表示させると共に、前記一の携帯電話機に対応する着信音を前記一の音出力手段から出力させると同時に前記他の携帯電話機に対応する着信音を前記他の音出力手段から出力させることを特徴とする車載ハンズフリー装置。
【請求項２】
請求項１に記載した車載ハンズフリー装置において、
携帯電話機から当該携帯電話機に登録されている着信音を受信する着信音受信手段を備え、
前記制御手段は、前記着信音受信手段が携帯電話機から受信した着信音を当該携帯電話機に対応する着信音として前記音出力手段から出力させることを特徴とする車載ハンズフリー装置。
【請求項３】
請求項１に記載した車載ハンズフリー装置において、
携帯電話機から当該携帯電話機を識別する識別情報を受信する識別情報受信手段と、
携帯電話機毎の電話機情報と着信音との対応を記憶する記憶手段とを備え、
前記制御手段は、前記識別情報受信手段が携帯電話機から受信した識別情報に対応する携帯電話機を特定し、その特定した携帯電話機の電話機情報に対応して前記記憶手段に記憶されている着信音を当該携帯電話機に対応する着信音として前記音出力手段から出力させることを特徴とする車載ハンズフリー装置。
【請求項４】
請求項１ないし３のいずれかに記載した車載ハンズフリー装置において、
前記制御手段は、前記ハンズフリー接続手段との間でハンズフリー通信プロトコルを同時に接続している複数の携帯電話機の各々が同時に着信中である旨を判定した場合に、それら着信中にある複数の携帯電話機のうち一の携帯電話機における着信に係る着信情報及び当該着信に対してユーザが行う操作に係る操作情報と他の携帯電話機における着信に係る着信情報及び当該着信に対してユーザが行う操作に係る操作情報とを区別して前記表示手段に表示させると共に、前記一の携帯電話機の電池の残容量を表す残容量情報と前記他の携帯電話機の電池の残容量を表す残容量情報とをも区別して前記表示手段に表示させることを特徴とする車載ハンズフリー装置。
【請求項５】
請求項１ないし４のいずれかに記載した車載ハンズフリー装置において、
前記制御手段は、前記ハンズフリー接続手段との間でハンズフリー通信プロトコルを同時に接続している複数の携帯電話機の各々が同時に着信中である旨を判定した場合に、それら着信中にある複数の携帯電話機のうち一の携帯電話機における着信に係る着信情報及び当該着信に対してユーザが行う操作に係る操作情報と他の携帯電話機における着信に係る着信情報及び当該着信に対してユーザが行う操作に係る操作情報とを区別して前記表示手段に表示させると共に、前記一の携帯電話機の電波の受信状態を表す電波環境情報と前記他の携帯電話機の電波の受信状態を表す電波環境情報とをも区別して前記表示手段に表示させることを特徴とする車載ハンズフリー装置。
【発明の詳細な説明】
【技術分野】
【０００１】
本発明は、携帯電話機との間でハンズフリー通信プロトコルを接続するハンズフリー接続手段と、前記ハンズフリー接続手段との間でハンズフリー通信プロトコルを接続している携帯電話機が着信中であるか否かを判定する制御手段とを備えた車載ハンズフリー装置に関する。
【背景技術】
【０００２】
車載ハンズフリー装置は、車室内に持込まれた携帯電話機との間でハンズフリープロファイル接続している状態では、その車室内に持込まれた携帯電話機が着信中になると、その携帯電話機における着信に係る着信情報をディスプレイ装置に表示させたり、着信音をスピーカから出力させたりすることにより、携帯電話機が着信中である旨をユーザに報知し、さらに、当該着信に対してユーザが行う操作に係る操作情報（着信に対して応答するための着信応答スイッチや着信に対して拒否するための着信拒否スイッチ）をディスプレイ装置に形成するように構成されている（例えば特許文献１参照）。
【特許文献１】特開２００５−２６０８２２号公報
【発明の開示】
【発明が解決しようとする課題】
【０００３】
近年では、例えばプライベート用の携帯電話機と仕事用の携帯電話機との複数の携帯電話機を同時に携帯するユーザも珍しくない。このような事情から、複数の携帯電話機が車室内に持込まれた場合であっても、それら複数の携帯電話機の全てがハンズフリー待受可能となるように、複数の携帯電話機の各々との間でハンズフリープロファイルを同時に接続する（いわゆるマルチプロファイル接続する）車載ハンズフリー装置も供されている。
【０００４】
ところで、このような複数の携帯電話機の各々との間でハンズフリープロファイルを同時に接続する車載ハンズフリー装置では、ハンズフリープロファイルを同時に接続している複数の携帯電話機の各々が同時に着信中になる場合もあり得る。その場合、ユーザは、それら複数の携帯電話機の各々が同時に着信中である旨を認識するだけでなく、複数の携帯電話機の各々における着信を区別して認識し、さらに、複数の携帯電話機のうちいずれかの着信に対して着信応答したり着信拒否したりする操作を行う必要がある。しかしながら、従来、このような状況に適切に対処し得るものは存在していなかった。
【０００５】
本発明は、上記した事情に鑑みてなされたものであり、その目的は、ハンズフリー通信プロトコルを同時に接続している複数の携帯電話機の各々が同時に着信中になった場合に、それら複数の携帯電話機の着信をユーザに適切に認識させることができ、ユーザの使い勝手を高めることができる車載ハンズフリー装置を提供することにある。
【課題を解決するための手段】
【０００６】
請求項１に記載した発明によれば、制御手段は、ハンズフリー接続手段との間でハンズフリー通信プロトコルを同時に接続している複数の携帯電話機の各々が同時に着信中である旨を判定すると、それら着信中にある複数の携帯電話機のうち一の携帯電話機における着信に係る着信情報及び当該着信に対してユーザが行う操作に係る操作情報を表示手段の表示領域のうち複数の音出力手段のうち一の音出力手段が設けられている側に表示させ、他の携帯電話機における着信に係る着信情報及び当該着信に対してユーザが行う操作に係る操作情報を表示手段の表示領域のうち複数の音出力手段のうち他の音出力手段が設けられている側に表示させると共に、一の携帯電話機に対応する着信音を一の音出力手段から出力させると同時に他の携帯電話機に対応する着信音を他の音出力手段から出力させる。
【０００７】
これにより、一の携帯電話機における着信情報及び操作情報と他の携帯電話機における着信情報及び操作情報とを区別して表示させることにより、それら複数の携帯電話機の着信をユーザに適切に認識させることができ、ユーザの使い勝手を高めることができる。
【０００９】
また、一の携帯電話機に対応する着信音を複数の音出力手段のうち一の音出力手段から出力させると同時に他の携帯電話機に対応する着信音を複数の音出力手段のうち他の音出力手段から出力させることにより、それら複数の携帯電話機の着信を視覚的にユーザに認識させるのみでなく、それら複数の携帯電話機の着信を聴覚的にもユーザに認識させることができる。
【００１１】
さらに、一の携帯電話機における着信情報及び操作情報を表示手段の表示領域のうち一の携帯電話機に対応する着信音を出力する一の音出力手段が設けられている側に表示させ、他の携帯電話機における着信情報及び操作情報を表示手段の表示領域のうち他の携帯電話機に対応する着信音を出力する他の音出力手段が設けられている側に表示させることにより、各々の携帯電話機における着信情報及び操作情報が表示される側と着信音が出力される側とを対応付け、ユーザが着信を視覚的に認識する感覚と着信を聴覚的に認識する感覚とを対応付けることができ、それら複数の携帯電話機の着信をユーザにより適切に認識させることができる。
【００１２】
請求項２に記載した車載ハンズフリー装置によれば、制御手段は、着信音受信手段が携帯電話機から受信した着信音を当該携帯電話機に対応する着信音として音出力手段から出力させる。これにより、予め携帯電話機に登録されている着信音が当該携帯電話機から転送されることにより、携帯電話機に登録されている着信音を音出力手段から出力させることができる。
【００１３】
請求項３に記載した車載ハンズフリー装置によれば、制御手段は、識別情報受信手段が携帯電話機から受信した識別情報に対応する携帯電話機を特定し、その特定した携帯電話機の電話機情報に対応して記憶手段に記憶されている着信音を当該携帯電話機に対応する着信音として音出力手段から出力させる。これにより、携帯電話機に登録されている着信音が当該携帯電話機から転送されなくても、予め車載ハンズフリー装置に着信音が登録されていることにより、車載ハンズフリー装置に登録されている着信音を音出力手段から出力させることができる。
【００１４】
請求項４に記載した車載ハンズフリー装置によれば、制御手段は、ハンズフリー接続手段との間でハンズフリー通信プロトコルを同時に接続している複数の携帯電話機の各々が同時に着信中である旨を判定すると、それら着信中にある複数の携帯電話機のうち一の携帯電話機における着信に係る着信情報及び当該着信に対してユーザが行う操作に係る操作情報と他の携帯電話機における着信に係る着信情報及び当該着信に対してユーザが行う操作に係る操作情報とを区別して表示手段に表示させると共に、一の携帯電話機の電池の残容量を表す残容量情報と他の携帯電話機の電池の残容量を表す残容量情報とをも区別して表示手段に表示させる。これにより、着信中にある複数の携帯電話機の各々の電池の残容量を表す残容量情報にしたがって例えば電池の残容量が多い方の着信に対して応答するなど着信に対してユーザが判断する指標となる有益な情報をユーザに提供することができる。
【００１５】
請求項５に記載した発明によれば、制御手段は、ハンズフリー接続手段との間でハンズフリー通信プロトコルを同時に接続している複数の携帯電話機の各々が同時に着信中である旨を判定すると、それら着信中にある複数の携帯電話機のうち一の携帯電話機における着信に係る着信情報及び当該着信に対してユーザが行う操作に係る操作情報と他の携帯電話機における着信に係る着信情報及び当該着信に対してユーザが行う操作に係る操作情報とを区別して表示手段に表示させると共に、一の携帯電話機の電波の受信状態を表す電波環境情報と他の携帯電話機の電波の受信状態を表す電波環境情報とを区別して表示手段に表示させる。これにより、着信中にある複数の携帯電話機の各々の電波の受信状態を表す電波環境情報にしたがって例えば電波の受信状態が良い方の着信に対して応答するなど着信に対してユーザが判断する指標となる有益な情報をユーザに提供することができる。
【発明を実施するための最良の形態】
【００１６】
以下、本発明の一実施形態について、図面を参照して説明する。尚、ここでは、複数の携帯電話機としてＢｌｕｅｔｏｏｔｈ（登録商標）（以下、ＢＴと称する）通信機能を有する２台のＢＴ対応の携帯電話機（以下、携帯電話機と称する）が車室内に持込まれた場合を説明する。
【００１７】
車載ハンズフリー装置１は、車両に搭載され、制御部２（本発明でいう制御手段）と、ＢＴインタフェース部３（本発明でいうハンズフリー接続手段、着信音受信手段、識別情報受信手段）と、通話音声処理部４と、記憶部５（本発明でいう記憶手段）と、表示制御部６と、タッチ操作入力部７とを備えて構成されている。
【００１８】
制御部２は、ＣＰＵ、ＲＡＭ、ＲＯＭ及びＩ／Ｏバスなどを有し、車載ハンズフリー装置１の通信動作やデータ管理動作などの動作全般を制御する。ＢＴインタフェース部３は、ＢＴの通信規格により規格化されているハンズフリー通話を行うためのハンズフリープロファイル（ＨＦＰ（Hands Free Profile））（本発明でいうハンズフリー通信プロトコル）及び電話帳データや発信履歴データや着信履歴データの転送を行うためのフォンブックアクセスプロファイル（ＰＢＡＰ（Phone Book Access Profile））に対応しており、複数のＢＴ対応の携帯電話機の各々との間でハンズフリープロファイルを同時に接続する（いわゆるマルチプロファイル接続する）ことが可能である。
【００１９】
すなわち、各々がＢＴ通信機能を有する携帯電話機２１及び携帯電話機２２が車室内に持込まれ、携帯電話機２１及び携帯電話機２２がＢＴインタフェース部３により形成されているＢＴ通信圏内に存在していれば、ＢＴインタフェース部３は、それらＢＴ通信圏内に存在している携帯電話機２１及び携帯電話機２２との間でハンズフリープロファイルを同時に接続する。尚、これらプロファイルは、機能毎に定義された通信プロトコルを意味している。
【００２０】
通話音声処理部４は、車室内にあって例えばハンドルの近傍などのユーザが発した音声を集音し易い部位に配置されているマイクロホン８を接続していると共に、車載ハンズフリー装置１の外部に配置されているオーディオアンプ９を接続している。通話音声処理部４は、車室内に持込まれた携帯電話機２１及び携帯電話機２２のうちいずれかを用いたハンズフリー通話を行う場合には、ユーザが発した音声をマイクロホン８から送話音声として入力すると、その入力した送話音声を音声処理してＢＴインタフェース部３に出力し、ＢＴインタフェース部３から受話音声を入力すると、その入力した受話音声をオーディオアンプ９に出力する。オーディオアンプ９は、通話音声処理部４から受話音声を入力すると、その入力した受話音声を増幅してスピーカ１０（本発明でいう音出力手段）及びスピーカ１１（本発明でいう音出力手段）から出力させる。
【００２１】
スピーカ１０及びスピーカ１１は、車載ハンズフリー装置１を搭載している車両の全長方向を対称中心して左右対称に配置されている。スピーカ１０は例えば運転席ドアに配置され、スピーカ１１は例えば助手席ドアに配置されている。尚、オーディオアンプ９は、チューナーデッキ１２にも接続されており、チューナーデッキ１２が例えば音楽用記録媒体から再生した楽曲音やラジオ放送局から受信したラジオ番組を当該チューナーデッキ１２から入力すると、それら入力した楽曲音やラジオ番組を増幅してスピーカ１０及びスピーカ１１から出力させる。
【００２２】
記憶部５は、各種データを記憶可能に構成されており、電話番号と登録名との対応を表す電話帳データ、車載ハンズフリー装置１からの発信或いは当該車載ハンズフリー装置１との間でハンズフリープロファイルを接続している携帯電話機２１或いは携帯電話機２２からの発信に係る発信時刻と発信電話番号との対応を表す発信履歴データ、車載ハンズフリー装置１との間でハンズフリープロファイルを接続している携帯電話機２１或いは携帯電話機２２における着信に係る着信時刻と着信電話番号との対応を表す着信履歴データを記憶可能に構成されていると共に、図２に示すように、携帯電話機の電話機情報（例えば電話番号など）と着信音との対応を表す着信音登録データを記憶可能に構成されている。
【００２３】
この場合、ユーザは、車載ハンズフリー装置１へのハンズフリー接続を許可する携帯電話機を予め登録する際に、その登録する携帯電話機がインバンドリングトーンに対応している携帯電話機（自機に登録されている着信音を転送可能な携帯電話機）であれば、携帯電話機の電話機情報を登録する際に当該携帯電話機に対応する着信音を登録することはないが、一方、その登録する携帯電話機がインバンドリングトーンに対応していない携帯電話機（自機に登録されている着信音を転送不可能な携帯電話機）であれば、携帯電話機の電話機情報を登録する際に当該携帯電話機に対応する着信音をも登録するものであり、制御部２は、その電話機情報や着信音を登録する操作が行われることにより携帯電話機の電話機情報と着信音とを対応付けて着信音登録データとして記憶部５に記憶させる。
【００２４】
ディスプレイ装置１３は、表示画面を表示する表示装置１４（本発明でいう表示手段）と、表示画面上にタッチスイッチを形成するタッチ操作入力装置１５とを備えて構成されている。表示制御部６は、制御部２から表示指令信号を入力すると、その入力した表示指令信号に基づいてディスプレイ装置１３における表示装置１４の表示動作を制御する。タッチ操作入力部７は、ユーザが表示画面上に形成されているタッチスイッチを操作したことに応じてタッチ操作入力装置１５から操作検知信号を入力すると、その操作検知信号を制御部２に出力し、制御部２は、タッチ操作入力部７から操作検知信号を入力すると、その操作検知信号に解析して処理を行う。
【００２５】
上記した携帯電話機２１及び携帯電話機２２は、車載ハンズフリー装置１との間でハンズフリープロファイルを接続していない状態（単独の状態）で携帯電話網２３（本発明でいう通信網）から着信信号を受信すると、着信した旨を表す着信メッセージを表示装置（図示せず）に表示させたり、予め登録されている着信音をスピーカ（図示せず）から出力させたりし、その着信をユーザに報知する着信報知動作を行う。
【００２６】
この場合、携帯電話機２１或いは携帯電話機２２は、携帯電話網２３から発信先電話番号を受信していれば、その携帯電話網２３から受信した発信先電話番号を表示装置に表示させたり、電話帳データを検索して当該発信先電話番号に対応して記憶されている登録名を表示装置に表示させたり、その発信先電話番号に対応して登録されている着信音をスピーカから出力させたりし、発信先に関する情報をもユーザに報知する。そして、携帯電話機２１或いは携帯電話機２２は、ユーザが着信を認識して当該着信に対して応答するための着信応答キー（図示せず）の操作を行った場合には、着信応答信号を携帯電話網２３に送信し、一方、ユーザが着信を認識して当該着信に対して拒否するための着信拒否キー（図示せず）の操作を行った場合には、着信拒否信号を携帯電話網２３に送信する。
【００２７】
その一方で、携帯電話機２１或いは携帯電話機２２は、車載ハンズフリー装置１との間でハンズフリープロファイルを接続している状態で携帯電話網２３から着信信号を受信すると、上記したような自機からの着信報知動作を行うことなく、着信通知信号を車載ハンズフリー装置１に送信する。この場合、携帯電話機２１或いは携帯電話機２２は、自機を識別する識別情報（例えば自機に登録されている電話番号など）を車載ハンズフリー装置１に送信し、携帯電話網２３から発信先電話番号を受信していれば、その携帯電話網２３から受信した発信先電話番号をも車載ハンズフリー装置１に送信する。また、携帯電話機２１或いは携帯電話機２２は、自機がインバンドリングトーンに対応している携帯電話機であれば、自機に登録されている着信音をも車載ハンズフリー装置１に送信する。
【００２８】
すなわち、携帯電話機２１或いは携帯電話機２２は、自機がインバンドリングトーンに対応している携帯電話機であり、携帯電話網２３から発信先電話番号を受信していなければ、自機に不特定多数の電話番号に対応して予め登録されている着信音を車載ハンズフリー装置１に送信し、携帯電話網２３から発信先電話番号を受信しており、その受信した発信先電話番号に対応して予め着信音が登録されていれば、その予め登録されている着信音を車載ハンズフリー装置１に送信する。
【００２９】
次に、上記した構成の作用について、図３ないし図５を参照して説明する。尚、ここでは、
（１）電話機情報登録処理
（２）着信処理
について順次説明する。
【００３０】
（１）電話機情報登録処理
最初に、電話機情報登録処理について説明する。車載ハンズフリー装置１において、制御部２は、例えばユーザがタッチ操作入力装置１５を操作して電話機情報を登録する登録画面を表示装置１４に表示させる操作を行ったことにより、電話機情報登録処理の開始トリガが発生すると、図３に示す電話機情報登録処理を開始する。制御部２は、電話機情報登録処理を開始すると、携帯電話機に対応する着信音を登録する操作が行われたか否かを判定する（ステップＳ１）。
【００３１】
ここで、上記したように、ユーザは、車載ハンズフリー装置１へのハンズフリー接続を許可する携帯電話機を予め登録する際に、その登録する携帯電話機がインバンドリングトーンに対応している携帯電話機であれば、携帯電話機の電話機情報を登録する際に当該携帯電話機に対応する着信音を登録することはないが、一方、その登録する携帯電話機がインバンドリングトーンに対応していない携帯電話機であれば、携帯電話機の電話機情報を登録する際に当該携帯電話機に対応する着信音をも登録することになる。
【００３２】
制御部２は、携帯電話機の電話機情報を入力する操作が行われたが、電話機情報に対応する着信音を登録する操作が行われなかった旨を判定すると（ステップＳ１にて「ＮＯ」）、ユーザが入力した電話機情報を記憶部５に記憶させ（ステップＳ２）、電話機情報登録処理を終了する。これに対して、制御部２は、携帯電話機の電話機情報を入力する操作が行われ、続いて電話機情報に対応する着信音をも登録する操作が行われた旨を判定すると（ステップＳ１にて「ＹＥＳ」）、ユーザが入力した電話機情報とユーザが選択した着信音とを記憶部５に対応付けて記憶させ（ステップＳ３）、電話機情報登録処理を終了する。
【００３３】
（２）着信処理
次に、着信処理について説明する。車載ハンズフリー装置１において、制御部２は、携帯電話機２１及び携帯電話機２２のうちいずれかから着信通知信号をＢＴインタフェース部３により受信し、着信処理の開始トリガが発生すると、図４に示す着信処理を開始する。制御部２は、着信処理を開始すると、着信中にある携帯電話機の台数が１台であるか２台であるかを判定すると共に（ステップＳ１１，Ｓ１２）、全ての着信を終了したか否かを判定する（ステップＳ１３）。
【００３４】
ここで、携帯電話機２１及び携帯電話機２２のうち最初に携帯電話機２１が着信したと仮定する。制御部２は、携帯電話機２１が着信したことにより、着信中にある携帯電話機の台数が１台である旨を判定すると（ステップＳ１１にて「ＹＥＳ」）、図５（ａ）に示すように、１台着信時の表示画面を表示装置１４に表示させる（ステップＳ１４）。この場合、制御部２は、最初に着信した携帯電話機である携帯電話機２１から発信先電話番号を受信していれば、その受信した発信先電話番号を表示させ、発信先電話番号に対応する登録名を電話帳データとして記憶していれば、その登録名をも表示させる。
【００３５】
図５（ａ）は、最初に着信した携帯電話機である携帯電話機２１から発信先電話番号として「０９０＊＊＊＊＊＊０１」を受信し、その携帯電話機２１から受信した発信先電話番号に対応する登録名として「織田○○」を電話帳データとして記憶しており、発信先電話番号としての「０９０＊＊＊＊＊＊０１」１６ａ及び登録名としての「織田○○」１６ｂを表示装置１４の表示領域の全体に表示させている例を示している。また、制御部２は、これら着信情報を表示させると共に、着信中である旨を示す「着信中」という表示メッセージ１６ｃを表示させ、着信した携帯電話機である携帯電話機２１から転送された当該携帯電話機２１の電池の残容量を表す残容量情報１６ｄ及び電波の受信状態を表す電波環境情報１６ｅをも表示させる。尚、これら表示装置１４に表示される「着信中」という表示メッセージ、発信先電話番号及び登録名は本発明でいう着信情報である。
【００３６】
次いで、制御部２は、その最初に着信した携帯電話機２１から着信音をＢＴインタフェース部３により受信したか否かを判定し、その携帯電話機２１がインバンドリングトーンに対応しているか否かを判定する（ステップＳ１５）。そして、制御部２は、その最初に着信した携帯電話機２１から着信音をＢＴインタフェース部３により受信した旨を判定し、その携帯電話機２１がインバンドリングトーンに対応している旨を判定すると（ステップＳ１５にて「ＹＥＳ」）、その携帯電話機２１からＢＴインタフェース部３により受信した着信音、つまり、携帯電話機２１に登録されている着信音をスピーカ１０及びスピーカ１１の双方から出力させる（ステップＳ１６）。
【００３７】
これに対して、制御部２は、その最初に着信した携帯電話機２１から着信音をＢＴインタフェース部３により受信しなかった旨を判定し、その携帯電話機２１がインバンドリングトーンに対応していない旨を判定すると（ステップＳ１５にて「ＮＯ」）、記憶部５に記憶させている着信音登録データを検索し、携帯電話機２１の電話機情報を登録する際に登録した着信音、つまり、車載ハンズフリー装置１に登録されている着信音をスピーカ１０及びスピーカ１１の双方から出力させる（ステップＳ１６）。
【００３８】
これにより、ユーザは、表示装置１４に表示される「着信中」という表示メッセージ、発信先電話番号及び登録名を見ることにより、携帯電話機２１の着信を視覚的に認識することができ、スピーカ１０及びスピーカ１１の双方から出力される着信音を聞くことにより、携帯電話機２１の着信を聴覚的にも認識することができる。
【００３９】
また、制御部２は、１台着信時の表示画面上で、着信に対して応答するための着信応答スイッチ１７ａ、着信に対して拒否するための着信拒否スイッチ１７ｂ、スピーカ１０及びスピーカ１１の双方から出力させる着信音の音量を増大させるためのアップスイッチ１７ｃ、スピーカ１０及びスピーカ１１の双方から出力させる着信音の音量を低下させるためのダウンスイッチ１７ｄを形成している。尚、これら表示装置１４に表示される着信応答スイッチ１７ａ及び着信拒否スイッチ１７ｂは本発明でいう操作情報である。
【００４０】
そして、制御部２は、１台着信時の表示画面が表示されている状態で、着信に対する操作が行われたか否かを判定し（ステップＳ１８）、着信に対する操作が行われた旨を判定すると（ステップＳ１８にて「ＹＥＳ」）、着信に対する操作にしたがった処理を行い（ステップＳ１９）、着信処理を終了する。
【００４１】
すなわち、制御部２は、着信応答スイッチ１７ａの操作が行われると、着信応答信号をＢＴインタフェース部３から携帯電話機２１に送信させ、一方、着信拒否スイッチ１７ｂの操作が行われると、着信拒否信号をＢＴインタフェース部３から携帯電話機２１に送信させる。携帯電話機２１は、車載ハンズフリー装置１から着信応答信号を受信すると、その着信応答信号を携帯電話網２３に送信し、車載ハンズフリー装置１から着信拒否信号を受信すると、その着信拒否信号を携帯電話網２３に送信する。これにより、ユーザは、着信応答スイッチ１７ａの操作を行うことにより、着信に対して応答することができ、着信拒否スイッチ１７ｂの操作を行うことにより、着信に対して拒否することができる。
【００４２】
尚、制御部２は、１台着信時の表示画面が表示されている状態で、アップスイッチ１７ｃの操作が行われると、オーディオアンプ９を制御し、スピーカ１０及びスピーカ１１の双方から出力させる着信音の音量を増大させ、ダウンスイッチ１７ｄの操作が行われると、オーディオアンプ９を制御し、スピーカ１０及びスピーカ１１の双方から出力させる着信音の音量を低下させる。これにより、ユーザは、アップスイッチ１７ｃ或いはダウンスイッチ１７ｄの操作を行うことにより、スピーカ１０及びスピーカ１１の双方から出力させる着信音の音量を自在に設定することができる。
【００４３】
次に、携帯電話機２１及び携帯電話機２２のうち最初に着信した携帯電話機２１が着信中にあるときに新たに携帯電話機２２が着信したと仮定する。制御部２は、最初に着信した携帯電話機２１が着信中にあるとき新たに携帯電話機２２が着信したことにより、着信中にある携帯電話機の台数が２台である旨を判定すると（ステップＳ１２にて「ＹＥＳ」）、図５（ｂ）に示すように、２台着信時の表示画面を表示装置１４に表示させる（ステップＳ２０）。
【００４４】
この場合、制御部２は、１台着信時の表示画面から２台着信時の表示画面に切替える際に、最初に着信した携帯電話機２１に関する情報を表示装置１４の表示領域のうち正面から見て（運転席に座っているユーザから見て）右半部分に表示させ、新たに着信した携帯電話機２２に関する情報を表示装置１４の表示領域のうち正面から見て左半部分に表示させることにより、両者を区別して表示させる。また、この場合も、制御部２は、新たに着信した携帯電話機である携帯電話機２２から発信先電話番号を受信していれば、その受信した発信先電話番号を表示させ、発信先電話番号に対応する登録名を電話帳データとして記憶していれば、その登録名をも表示させる。
【００４５】
図５（ｂ）は、新たに着信した携帯電話機である携帯電話機２２から発信先電話番号として「０９０＊＊＊＊＊＊０２」を受信し、最初に着信した携帯電話機である携帯電話機２１に関する発信先電話番号としての「０９０＊＊＊＊＊＊０１」１８ａ及び登録名としての「徳川○○」１８ｂを表示装置１４の表示領域のうち正面から見て右半部分に表示させており、その新たに携帯電話機２２から受信した発信先電話番号に対応する登録名として「徳川○○」を電話帳データとして記憶していることにより、新たに着信した携帯電話機である携帯電話機２２に関する発信先電話番号としての「０９０＊＊＊＊＊＊０２」１８ｃ及び登録名としての「徳川○○」１８ｄを表示装置１４の表示領域のうち正面から見て左半部分に表示させている例を示している。
【００４６】
また、制御部２は、この場合も、これら着信情報を表示させると共に、着信中である旨を示す「着信中」という表示メッセージ１８ｅを表示させ、着信中にある携帯電話機毎に、携帯電話機２１から転送された当該携帯電話機２１の電池の残容量を表す残容量情報１８ｆ及び電波の受信状態を表す電波環境情報１８ｇ及び携帯電話機２２から転送された当該携帯電話機２２の電池の残容量を表す残容量情報１８ｈ及び電波の受信状態を表す電波環境情報１８ｉをも表示させる。
【００４７】
次いで、制御部２は、それら最初に着信した携帯電話機２１及び新たに着信した携帯電話機２２のうち一方から着信音をＢＴインタフェース部３により受信したか否かを判定し、その一方の携帯電話機がインバンドリングトーンに対応しているか否かを判定する（ステップＳ２１）。そして、制御部２は、その一方の携帯電話機がインバンドリングトーンに対応している旨を判定すると（ステップＳ２１にて「ＹＥＳ」）、その一方の携帯電話機からＢＴインタフェース部３により受信した着信音、つまり、その一方の携帯電話機に登録されている着信音をスピーカ１０及びスピーカ１１のうち一方から出力させる（ステップＳ２２）。
【００４８】
これに対して、制御部２は、その一方の携帯電話機がインバンドリングトーンに対応していない旨を判定すると（ステップＳ２１にて「ＮＯ」）、記憶部５に記憶させている着信音登録データを検索し、その一方の電話機情報を登録する際に登録した着信音、つまり、車載ハンズフリー装置１に登録されている着信音をスピーカ１０及びスピーカ１１のうち一方から出力させる（ステップＳ２３）。
【００４９】
次いで、制御部２は、それら最初に着信した携帯電話機２１及び新たに着信した携帯電話機２２のうち他方から着信音をＢＴインタフェース部３により受信したか否かを判定し、その他方の携帯電話機がインバンドリングトーンに対応しているか否かを判定する（ステップＳ２４）。そして、制御部２は、その他方の携帯電話機がインバンドリングトーンに対応している旨を判定すると（ステップＳ２４にて「ＹＥＳ」）、その他方の携帯電話機からＢＴインタフェース部３により受信した着信音、つまり、その他方の携帯電話機に登録されている着信音をスピーカ１０及びスピーカ１１のうち他方から出力させる（ステップＳ２５）。
【００５０】
これに対して、制御部２は、その他方の携帯電話機がインバンドリングトーンに対応していない旨を判定すると（ステップＳ２４にて「ＮＯ」）、記憶部５に記憶させている着信音登録データを検索し、その他方の電話機情報を登録する際に登録した着信音、つまり、車載ハンズフリー装置１に登録されている着信音をスピーカ１０及びスピーカ１１のうち他方から出力させる（ステップＳ２６）。
【００５１】
すなわち、制御部２は、最初に着信した携帯電話機である携帯電話機２１を一方の携帯電話機としてインバンドリングトーンに対応しているか否かを判定すると、最初に着信した携帯電話機２１に関する着信情報を表示装置１４の表示領域のうち正面から見て右半部分に表示させていることに追従して、携帯電話機２１から転送された着信音或いは当該携帯電話機２１に対応して車載ハンズフリー装置１に登録されている着信音を右側に配置されているスピーカ１０から出力させる。
【００５２】
また、制御部２は、新たに着信した携帯電話機である携帯電話機２２を他方の携帯電話機としてインバンドリングトーンに対応しているか否かを判定すると、新たに着信した携帯電話機２２に関する着信情報を表示装置１４の表示領域のうち正面から見て左半部分に表示させていることに追従して、携帯電話機２２から転送された着信音或いは当該携帯電話機２２に対応して車載ハンズフリー装置１に登録されている着信音を左側に配置されているスピーカ１１から出力させる。
【００５３】
これにより、ユーザは、この場合も、表示装置１４に表示される「着信中」という表示メッセージ、着信中にある携帯電話機２１及び携帯電話機２２の各々発信先電話番号及び登録名を見ることにより、携帯電話機２１及び携帯電話機２２の各々の着信を区別した上で当該着信を視覚的に認識することができ、スピーカ１０及びスピーカ１１の双方から出力される着信音を聞くことにより、携帯電話機２１及び携帯電話機２２の各々の着信を区別した上で当該着信を聴覚的にも認識することができる。
【００５４】
また、制御部２は、２台着信時の表示画面上でも、各々の着信に独立して、着信に対して応答するための着信応答スイッチ１９ａ，１９ｃ、着信に対して拒否するための着信拒否スイッチ１９ｂ，１９ｄを形成していると共に、各々の着信に共通して、スピーカ１０及びスピーカ１１から出力させる着信音の音量を増大させるアップスイッチ１９ｅ、スピーカ１０及びスピーカ１１のから出力させる着信音の音量を低下させるダウンスイッチ１９ｆを形成している。
【００５５】
そして、制御部２は、いずれかの着信に対する操作が行われたか否かを判定し（ステップＳ１８）、いずれかの着信に対する操作が行われた旨を判定すると（ステップＳ１８にて「ＹＥＳ」）、着信に対する操作にしたがった処理を行い（ステップＳ１９）、着信処理を終了する。
【００５６】
すなわち、制御部２は、２台着信時の表示画面が表示されている状態で、着信応答スイッチ１９ａの操作が行われると、着信応答信号をＢＴインタフェース部３から携帯電話機２１に送信させ、一方、着信拒否スイッチ１９ｂの操作が行われると、着信拒否信号をＢＴインタフェース部３から携帯電話機２１に送信させる。これにより、ユーザは、着信応答スイッチ１９ａの操作を行うことにより、最初に着信した携帯電話機２１の着信に対して応答することができ、着信拒否スイッチ１９ｂの操作を行うことにより、最初に着信した携帯電話機２１の着信に対して拒否することができる。
【００５７】
また、制御部２は、２台着信時の表示画面が表示されている状態で、着信応答スイッチ１９ｃの操作が行われると、着信応答信号をＢＴインタフェース部３から携帯電話機２２に送信させ、一方、着信拒否スイッチ１９ｄの操作が行われると、着信拒否信号をＢＴインタフェース部３から携帯電話機２２に送信させる。これにより、ユーザは、着信応答スイッチ１９ｃの操作を行うことにより、新たに着信した携帯電話機２２の着信に対して応答することができ、着信拒否スイッチ１９ｄの操作を行うことにより、新たに着信した携帯電話機２２の着信に対して拒否することができる。
【００５８】
尚、制御部２は、２台着信時の表示画面が表示されている状態で、アップスイッチ１９ｅの操作が行われると、オーディオアンプ９を制御し、スピーカ１０及びスピーカ１１から出力させる着信音の音量を増大させ、ダウンスイッチ１９ｆの操作が行われると、オーディオアンプ９を制御し、スピーカ１０及びスピーカ１１から出力させる着信音の音量を低下させる。これにより、ユーザは、アップスイッチ１９ｅ或いはダウンスイッチ１９ｆの操作を行うことにより、スピーカ１０及びスピーカ１１から出力させる着信音の音量を自在に設定することができる。
【００５９】
そして、制御部２は、これ以降、全ての着信を終了した旨を判定しない限りは（ステップＳ１３にて「ＮＯ」）、上記したステップＳ１１〜Ｓ２６を繰返して行う。すなわち、制御部２は、着信中にある携帯電話機の台数が１台であるか２台であるかに追従して１台着信時の表示画面と２台着信時の表示画面とを切替えて表示装置１４に表示させることになる。
【００６０】
ところで、以上は、２台の携帯電話機の各々が車載ハンズフリー装置１との間でハンズフリープロファイルを同時に接続しており、それら２台の携帯電話機の各々が同時に着信中になった場合に、表示装置１４の表示領域を左右に２分割し、各々の着信情報を表示させる場合を説明したが、３台以上の携帯電話機の各々が車載ハンズフリー装置１との間でハンズフリープロファイルを同時に接続しており、それら３台以上の携帯電話機の各々が同時に着信中になった場合も同様である。
【００６１】
すなわち、車室内に４台の携帯電話機が持込まれ、それら４台の携帯電話機の各々が同時に着信中になった場合には、表示装置１４の表示領域を上下左右に４分割し、各々の着信情報を表示させても良い。例えば４個のスピーカが車両の前方右側、前方左側、後方右側及び後方左側に分散して配置されていれば、表示装置１４の表示領域のうち右上部分に表示させた着信情報の携帯電話機に対応する着信音を前方右側に配置されているスピーカから出力させ、表示装置１４の表示領域のうち左上部分に表示させた着信情報の携帯電話機に対応する着信音を前方左側に配置されているスピーカから出力させ、表示装置１４の表示領域のうち右下部分に表示させた着信情報の携帯電話機に対応する着信音を後方右側に配置されているスピーカから出力させ、表示装置１４の表示領域のうち左下部分に表示させた着信情報の携帯電話機に対応する着信音を後方左側に配置されているスピーカから出力させるようにしても良い。
【００６２】
また、以上は、１台着信時の表示画面から２台着信時の表示画面に切替える際に、最初に着信した携帯電話機２１に関する情報を表示装置１４の表示領域のうち正面から見て右半部分に表示させ、新たに着信した携帯電話機２２に関する情報を表示装置１４の表示領域のうち正面から見て左半部分に表示させる場合を説明したが、これとは反対に、最初に着信した携帯電話機２１に関する情報を表示装置１４の表示領域のうち正面から見て左半部分に表示させ、新たに着信した携帯電話機２２に関する情報を表示装置１４の表示領域のうち正面から見て右半部分に表示させるようにしても良い。
【００６３】
すなわち、例えばユーザが最初に着信した方に対して何らかの操作を行う可能性が高いという思想を考慮すると、本実施形態のように、車載ハンズフリー装置１を搭載している車両がハンドルを右側に有する車両（いわゆる右ハンドル車両）であれば、最初に着信した携帯電話機２１に関する情報を表示装置１４の表示領域のうち正面から見て運転席に近い方の（手が届き易い方の）右半部分に表示させる態様が望ましく、一方、車載ハンズフリー装置１を搭載している車両がハンドルを左側に有する車両（いわゆる左ハンドル車両）であれば、最初に着信した携帯電話機２１に関する情報を表示装置１４の表示領域のうち正面から見て運転席に近い方の左半部分に表示させる態様が望ましい。
【００６４】
以上に説明したように本実施形態によれば、車載ハンズフリー装置１において、ハンズフリープロファイルを同時に接続している２台の携帯電話機２１及び携帯電話機２２が同時に着信中になった場合に、一方の携帯電話機２１における着信情報及び操作情報と他方の携帯電話機２２における着信情報及び操作情報とを区別して表示装置１４に表示させるように構成したので、それら２台の携帯電話機２１及び携帯電話機２２の着信をユーザに適切に認識させることができ、いずれかの着信に対して着信応答したり着信拒否したりする操作を行わせることができ、使い勝手を高めることができる。
【００６５】
また、一方の携帯電話機２１における着信情報及び操作情報を表示装置１４の表示領域のうち右半部分に表示させると共に当該携帯電話機２１に対応する着信音を右側に配置されているスピーカ１０から出力させ、他方の携帯電話機２２における着信情報及び操作情報を表示装置１４の表示領域のうち左半部分に表示させると共に当該携帯電話機２１に対応する着信音を左側に配置されているスピーカ１０から出力させるように構成したので、各々の携帯電話機における着信情報及び操作情報が表示される側と着信音が出力される側とを対応付け、ユーザが着信を視覚的に認識する感覚と着信を聴覚的に認識する感覚とを対応付けることができ、それら２台の携帯電話機２１及び携帯電話機２２の着信をユーザにより適切に認識させることができる。
【００６６】
また、着信中にある携帯電話機２１及び携帯電話機２２の各々の電池の残容量を表す残容量情報や電波環境情報をも表示させるように構成したので、例えば電池の残容量が多い方の着信や電波の受信状態が良い方の着信に対して応答するなど着信に対してユーザが判断する指標となる有益な情報をユーザに提供することができる。
【００６７】
本発明は、上記した実施形態にのみ限定されるものではなく、以下のように変形または拡張することができる。
車載ハンズフリー装置１の機能が例えば車載ナビゲーション装置などの別の車載装置に組み込まれていても良い。
着信音は、楽曲（いわゆる着信メロディ）であっても良い。
着信に対して応答するための着信応答スイッチに相当する操作手段や着信に対して拒否するための着信拒否スイッチに相当する操作手段がディスプレイ装置１３にタッチスイッチとして形成される構成に限らず、それら操作手段が例えばハンドルの近傍や運転席と助手席との間に配置された機械的なスイッチから構成されていても良い。その場合、それら操作手段における着信に対して応答する操作手順や拒否する操作手順を操作情報として表示装置１４に表示させても良い。
【００６８】
１台着信時の表示画面や２台着信時の表示画面における着信情報や操作情報のレイアウトは他の態様であっても良い。
携帯電話機２１或いは携帯電話機２２から発信先電話番号を受信しなかったときに、「非通知」という表示メッセージを表示させても良い。
携帯電話機２１或いは携帯電話機２２から発信先電話番号を受信したときに、ユーザが車載ハンズフリー装置１を操作して予め車載ハンズフリー装置１に登録しておいた電話帳データを検索し、その受信した発信先電話番号に対応する登録名を表示装置１４の表示させる構成に限らず、携帯電話機２１或いは携帯電話機２２との間でフォンブックアクセスプロファイルを接続することにより、ユーザが携帯電話機２１或いは携帯電話機２２を操作して予め携帯電話機２１或いは携帯電話機２２に登録しておいた電話帳データを受信して記憶しておき、その記憶しておいた電話帳データを検索し、つまり、元々が携帯電話機２１或いは携帯電話機２２に登録されている電話帳データを検索し、その検索した発信先電話番号に対応する登録名を表示装置１４に表示させても良い。
【００６９】
表示手段が１台の表示装置１４からなる構成に限らず、表示手段が複数台の表示装置から構成され、ハンズフリープロファイルを同時に接続している複数の携帯電話機の各々が同時に着信中になった場合に、着信情報及び操作情報を表示させる位置と複数台の表示装置が配置されている位置とを対応付けても良い。
【図面の簡単な説明】
【００７０】
【図１】本発明の一実施形態を示す機能ブロック図
【図２】着信音登録データの一例を示す図
【図３】フローチャート（その１）
【図４】フローチャート（その２）
【図５】１台着信時の表示画面の一例及び２台着信時の表示画面の一例を示す図
【符号の説明】
【００７１】
図面中、１は車載ハンズフリー装置、２は制御部（制御手段）、３はＢＴインタフェース部（ハンズフリー接続手段、着信音受信手段、識別情報受信手段）、５は記憶部（記憶手段）、１０，１１はスピーカ（音出力手段）、１４は表示装置（表示手段）、２１，２２は携帯電話機、２３は携帯電話網（通信網）である。
【図１】
0004530061.tif 000002
【図２】
0004530061.tif 000003
【図３】
0004530061.tif 000004
【図４】
0004530061.tif 000005
【図５】
0004530061.tif 000006